(57)【要約】【課題】排水中に含まれ、オゾン酸化分解処理によっても処理が困難な界面活性剤を分解する。【解決手段】アルキルジフェニルエーテルジスルホン酸ナトリウム（アルキルジフェニルエーテルジスルホン酸塩、ＡＥＳ）など界面活性剤を含む排水中にオゾンを供給しながら排水の電気分解を行いＯＨラジカルを発生させるオゾン／電解工程を有する排水処理方法を提供する。または、界面活性剤を含む排水中にＯＨラジカルを発生させてＯＨラジカルにより排水処理を行う排水処理装置であって、排水が導入される排水処理槽１０にオゾンを供給するオゾン供給装置１６と、オゾン供給装置１６によって形成されるオゾン曝気域に配置され、排水の電気分解を行う電極１３と、を有する排水処理装置を提供する。【選択図】図２
2015139753.tif 000002
【特許請求の範囲】
【請求項１】
界面活性剤を含む排水中にオゾンを供給しながら前記排水の電気分解を行いＯＨラジカルを発生させるオゾン／電解工程を有することを特徴とする排水処理方法。
【請求項２】
前記界面活性剤は、アルキルジフェニルエーテルジスルホン酸塩であることを特徴とする請求項１に記載の排水処理方法。
【請求項３】
前記オゾン／電解工程の上流にて前記排水の発泡抑制処理を行う発泡抑制工程を有することを特徴とする請求項１又は請求項２に記載の排水処理方法。
【請求項４】
前記発泡抑制処理は、凝集沈殿処理であることを特徴とする請求項３に記載の排水処理方法。
【請求項５】
前記オゾン／電解工程にて発生した次亜塩素酸含有液の一部を、前記オゾン／電解工程の上流に戻す循環工程と、を有することを特徴とする請求項１から請求項４のいずれか一項に記載の排水処理方法。
【請求項６】
前記オゾン／電解工程にて発生した余剰オゾンを、前記オゾン／電解工程の上流に供給することを特徴とする請求項１から請求項５のいずれか一項に記載の排水処理方法。
【請求項７】
界面活性剤を含む排水中にＯＨラジカルを発生させて前記ＯＨラジカルにより排水処理を行う排水処理装置であって、
前記排水が導入される排水処理槽にオゾンを供給するオゾン供給装置と、
前記オゾン供給装置によって形成されるオゾン曝気域に配置され、前記排水の電気分解を行う電極と、を有することを特徴とする排水処理装置。
【請求項８】
前記界面活性剤は、アルキルジフェニルエーテルジスルホン酸塩であることを特徴とする請求項７に記載の排水処理装置。
【請求項９】
前記オゾン／電解工程の上流にて前記排水の発泡抑制処理を行う発泡抑制装置を有することを特徴とする請求項７又は請求項８に記載の排水処理装置。
【請求項１０】
前記排水処理槽にて発生した次亜塩素酸含有液の一部を、前記排水処理槽の上流に戻す循環ラインを有することを特徴とする請求項７から請求項９のいずれか一項に記載の排水処理装置。
【請求項１１】
前記排水処理槽にて発生した余剰オゾンを、前記排水処理槽の上流に戻す余剰オゾンラインを有することを特徴とする請求項７から請求項１０のいずれか一項に記載の排水処理装置。
【請求項１２】
前記循環ラインと前記余剰オゾンラインのうち少なくとも一方は、前記排水処理槽の上流側に設けられた接触槽に接続されていることを特徴とする請求項１１に記載の排水処理装置。
【発明の詳細な説明】
【技術分野】
【０００１】
本発明は、排水処理方法及び排水処理装置に関し、詳しくは、界面活性剤を含む排水を処理する排水処理方法及び排水処理装置に関する。
【背景技術】
【０００２】
排水中の有機物を除去する方法では活性汚泥法に代表されるような微生物作用を利用する方法が用いられるが、生物処理ではアルキルジフェニルエーテルジスルホン酸ナトリウム（アルキルジフェニルエーテルジスルホン酸塩、以下、ＡＥＳと呼ぶ）などの界面活性剤の分解が困難となる。
排水処理において高度処理とされるオゾン酸化分解処理を用いることによって、一部の界面活性剤を処理することは可能であるが、ＡＥＳについては処理が困難である。よって、従来の排水処理においては、焼却炉内噴霧による熱分解処理を行うことによってＡＥＳを除去している。排水を熱分解処理する技術については、例えば特許文献１に記載されている。
【先行技術文献】
【特許文献】
【０００３】
【特許文献１】特開平７−３３２６４５号公報
【発明の概要】
【発明が解決しようとする課題】
【０００４】
しかしながら、熱分解処理を行うことによってＡＥＳを除去する方法においては、排水を焼却炉内に噴霧するため、対象のＡＥＳなどの界面活性剤の分解に要する熱エネルギーと併せて排水中の水分を蒸発させるための熱エネルギーが必要となる。よって、処理に要するコストが高額となってしまう。
【０００５】
この発明は、このような事情を考慮してなされたもので、その目的は、排水中に含まれ、オゾン酸化分解処理によっても処理が困難な界面活性剤を分解することができる排水処理方法及び排水処理装置を提供することにある。
【課題を解決するための手段】
【０００６】
本発明の第一の態様によれば、排水処理方法は、界面活性剤を含む排水中にオゾンを供給しながら前記排水の電気分解を行いＯＨラジカルを発生させるオゾン／電解工程を有することを特徴とする。
【０００７】
上記構成によれば、排水中に含まれ、オゾン酸化分解処理によっても処理が困難な界面活性剤を分解することができる。
また、熱分解処理を行うことなく界面活性剤を分解することができるため、低コストにて処理を行うことができる。
【０００８】
上記排水処理方法において、前記界面活性剤は、アルキルジフェニルエーテルジスルホン酸塩であってよい。
【０００９】
上記排水処理方法において、前記オゾン／電解工程の上流にて前記排水の発泡抑制処理を行う発泡抑制工程を有する構成としてもよい。
上記構成によれば、排水中にオゾンを供給する際の発泡抑制が可能となる。
【００１０】
上記排水処理方法において、前記発泡抑制処理は、凝集沈殿処理としてもよい。
【００１１】
上記排水処理方法において、前記オゾン／電解工程にて発生した次亜塩素酸含有液の一部を、前記オゾン／電解工程の上流に戻す循環工程と、を有する構成としてもよい。
【００１２】
上記構成によれば、オゾン／電解工程よりも上流側にて次亜塩素酸含有液で分解可能な物質が分解処理されるため、オゾン／電解工程において発生させるＯＨラジカルを効率的に利用することが可能となる。
また、オゾン／電解工程で過剰なＯＨラジカルが不要となるため、過剰なオゾン曝気風量が不要となり、ランニングコストを低減することができる。
【００１３】
上記排水処理方法において、前記オゾン／電解工程にて発生した余剰オゾンを、前記オゾン／電解工程の上流に供給してもよい。
【００１４】
上記構成によれば、オゾン／電解工程よりも上流側にて余剰オゾンで分解可能な物質が分解処理されるため、オゾン／電解工程において発生させるＯＨラジカルを効率的に利用することが可能となる。
【００１５】
本発明の第二の態様によれば、排水処理装置は、界面活性剤を含む排水中にＯＨラジカルを発生させて前記ＯＨラジカルにより排水処理を行う排水処理装置であって、前記排水が導入される排水処理槽にオゾンを供給するオゾン供給装置と、前記オゾン供給装置によって形成されるオゾン曝気域に配置され、前記排水の電気分解を行う電極と、を有することを特徴とする。
【００１６】
上記排水処理装置において、前記界面活性剤は、アルキルジフェニルエーテルジスルホン酸塩であってもよい。
【００１７】
上記排水処理装置において、前記オゾン／電解工程の上流にて前記排水の発泡抑制処理を行う発泡抑制装置を有する構成としてもよい。
【００１８】
上記排水処理装置において、前記排水処理槽にて発生した次亜塩素酸含有液の一部を、前記排水処理槽の上流に戻す循環ラインを有する構成としてもよい。
【００１９】
上記排水処理装置において、前記排水処理槽にて発生した余剰オゾンを、前記排水処理槽の上流に戻す余剰オゾンラインを有する構成としてもよい。
【００２０】
上記排水処理装置において、前記循環ラインと前記余剰オゾンラインのうち少なくとも一方は、前記排水処理槽の上流側に設けられた接触槽に接続してもよい。
【００２１】
上記構成によれば、次亜塩素酸含有液と余剰オゾンのうち少なくとも一方が接触槽にて単独で処理に使用されることによって、次亜塩素酸含有液と余剰オゾンの処理効率を向上させることができる。
【発明の効果】
【００２２】
本発明によれば、排水中に含まれ、オゾン酸化分解処理によっても処理が困難な界面活性剤を分解することができる。
【図面の簡単な説明】
【００２３】
【図１】本発明の実施形態の排水処理システムの系統図である。
【図２】本発明の実施形態の排水処理システムにおける生物難分解性有機物処理部の構成図である。
【図３】本発明の実施形態の排水処理システムを用いてＡＥＳを含む排水を処理したときの経時変化図である。
【図４】本発明の実施形態の変形例の排水処理システムの系統図である。
【発明を実施するための形態】
【００２４】
以下、本発明の実施形態に係る排水処理システム１（排水処理装置）について図面を参照して詳細に説明する。
図１に示すように、本実施形態の排水処理システム１は、上流側より順に、生物処理槽２と、沈殿槽３と、第一凝集沈殿槽４と、混和槽５と、第二凝集沈殿槽６と、砂ろ過塔７と、生物難分解性有機物処理部８と、活性炭吸着塔２５と、を有している。排水処理システム１は、例えば下水処理、屎尿処理、畜産排水処理、水産食品加工排水処理、洗浄排水処理、工場排水処理、湖水浄化処理等に有効に適用できる。
【００２５】
生物処理槽２には、図示しない排水排出施設から排出される界面活性剤、特にアルキルジフェニルエーテルジスルホン酸ナトリウム（アルキルジフェニルエーテルジスルホン酸塩、ＡＥＳ）を含有する排水が導入され、以下、排水は下流側の処理設備に送られる。
生物処理槽２は、排水に含まれる有機物及びアンモニア態（アンモニア窒素系）を生物学的に処理する槽である。
【００２６】
沈殿槽３は、排水に含まれるＳＳ成分を固液分離する槽である。
第一凝集沈殿槽４は、排水に含まれる界面活性剤の一部を固液分離する槽である。具体的には、第一凝集沈殿槽４は、発泡抑制のためカルシウム塩などの凝集剤が添加され、排水に含まれる界面活性剤の一部を析出させて分離する槽である。カルシウム塩としては、塩化カルシウム等が好適に用いられる。
界面活性剤の一部が分離されることによって、後述する生物難分解性有機物処理部８において排水にオゾン曝気が施される際の発泡が抑制される。即ち、第一凝集沈殿槽４は、発泡抑制装置として機能する。第一凝集沈殿槽4を省略し、混和槽５にカルシウム塩等の凝集剤を添加して混和凝集槽としても良い。
【００２７】
混和槽５は、排水に凝集剤（硫酸バンド、高分子ポリマーなど）を添加し、混和する槽である。
第二凝集沈殿槽６は、混和槽５にて添加された凝集剤によって凝集された成分を凝集沈殿処理する槽である。
砂ろ過塔７は、第二凝集沈殿槽６において分離できなかった微量な固形成分（ＳＳ成分）を除去する槽である。
生物難分解性有機物処理部８は、ＯＨラジカルにより、排水中の生物難分解性有機物、特に界面活性剤を処理する部位である。生物難分解性有機物処理部８については後に詳述する。
活性炭吸着塔２５は、活性炭を用いて排水中の着色成分を除去する処理装置である。
【００２８】
図２に示すように、生物難分解性有機物処理部８は、砂ろ過塔７から排出された排水が導入される接触槽９と、ＯＨラジカル処理槽１０とを有している。
ＯＨラジカル処理槽１０は、オゾンの存在下にて電気分解を行うことによって発生するＯＨラジカルを用いて排水を処理する排水処理槽である。ＯＨラジカル処理槽１０は、鉛直上下方向を長手方向とする縦長状の槽である。
接触槽９も、ＯＨラジカル処理槽１０と同様に、鉛直上下方向を長手方向とする縦長状とされている。
【００２９】
ＯＨラジカル処理槽１０の下部には排水入口１１が設けられており、ＯＨラジカル処理槽１０の上部には排水出口１２が設けられている。排水入口１１には上流側の接触槽９から排出される排水が導入され、排水出口１２から排出される排水は下流側の活性炭吸着塔２５に導入される。
【００３０】
ＯＨラジカル処理槽１０の内部には、陽極と陰極からなる板状の電極対１３が多数本、槽内全域にわたって設置されている。電極対１３は、低電圧（例えば１０〜２０Ｖ）で電極間の排水に所定の電流密度が得られるように構成されている。
【００３１】
電極対１３には直流電圧を印加する直流安定化電源１５が接続されている。電極対１３と直流安定化電源１５との間には、電極対１３間の電圧、電流、抵抗値などを監視する図示しないマルチメータが設けられている。
ＯＨラジカル処理槽１０の底部にはオゾン供給管１７を介してオゾン供給装置１６（オゾナイザー）が接続されている。これにより、オゾン供給装置１６で発生させたオゾンがＯＨラジカル処理槽１０内に供給されて、ＯＨラジカル処理槽１０内の排水がオゾン曝気される。即ち、ＯＨラジカル処理槽１０に導入された排水には、オゾン曝気域が形成される。
【００３２】
ＯＨラジカル処理槽１０と同様に、接触槽９の底部にはオゾン供給管１７が接続されており、オゾン供給管１７を通じてオゾン供給装置１６で発生させたオゾンが接触槽９内に供給される。
接触槽９の上部には、廃オゾン（オゾン排ガス）を排出するための廃オゾンライン２３が設けられている。廃オゾンライン２３は、廃オゾンを分解する機能を有する廃オゾン処理装置２４（オゾン分解器）と接続されている。
【００３３】
また、ＯＨラジカル処理槽１０には、塩化物イオンライン２２を介して塩化物イオン源として塩化物イオンを含む液体である塩化ナトリウム水溶液を供給する塩化物イオン供給装置２１が接続されている。なお、塩化物イオンライン２２を介して導入される液体は、塩化物イオンを含む液体であればよく塩化ナトリウム水溶液に限ることはない。例えば海水を塩化物イオンライン２２から導入する構成としてもよい。
【００３４】
ここで、ＯＨラジカル処理槽１０における化学反応について説明する。ＯＨラジカル処理槽１０では、槽内の電極間に所定電圧が印加され、所定の電流密度となるように電流が供給される。電流密度は０．２〜１０ｍＡ／ｃｍ２になるように直流安定化電源１５の電力制御がなされている。そして、排水中に元々含有される、あるいは上記塩化物イオン供給装置２１で供給された塩化物イオンに対し、陽極では、数式（１）の電極反応により塩素（Ｃｌ２）が発生する。
２Ｃｌ−  →  Ｃｌ２↑  ＋  ２ｅ−  ・・・  （１）
また、陰極では、数式（２）の電極反応により水酸化ナトリウム（ＮａＯＨ）が発生する。
２Ｎａ＋  ＋  ２Ｈ２Ｏ  ＋２ｅ−  →  ２ＮａＯＨ  ＋  Ｈ２↑  ・・・  （２）
さらに、ＯＨラジカル処理槽内の処理液中に発生したＣｌ２は数式（３）の溶液反応により次亜塩素酸ナトリウム（ＮａＣｌＯ）を生成する。
２ＮａＯＨ  ＋  Ｃｌ２  →  ＮａＣｌ  ＋  Ｈ２Ｏ  ＋  ＮａＣｌＯ・・・（３）
【００３５】
また、ＯＨラジカル処理槽１０では、オゾン供給装置１６により供給されるオゾンによりＯＨラジカルが発生する。
ＯＨラジカルは、以下のような反応を経て発生する。
Ｈ２Ｏ  →  Ｈ＋  ＋  ＯＨ−  （電気分解工程）  ・・・  （４）
ＯＨ−  ＋  Ｏ３  →  ・Ｏ３−  ＋  ・ＯＨ（オゾン接触工程）   ・・・（５）
ＯＨ−  ＋  Ｏ３→・Ｏ２−  ＋  ・ＯＯＨ  ・・・  （６）
・ＯＯＨ  ⇔  Ｈ＋  ＋  ・Ｏ２−  ・・・  （７）
Ｏ３  ＋  ・Ｏ２−  →  ・Ｏ３−  ＋  Ｏ２  ・・・  （８）
・Ｏ３−  ＋  Ｈ＋  →  ・Ｏ３Ｈ  ・・・  （９）
・Ｏ３Ｈ  →  ・ＯＨ  ＋  Ｏ２  ・・・  （１０）
【００３６】
また、電極上に吸着したオゾンは、数式（１１）のような反応で・Ｏ３−を生成する。ここで生成した・Ｏ３−は、数式（９）〜（１０）式の反応により、ＯＨラジカルを生成する。
Ｏ３  ＋  ｅ−  →  ・Ｏ３−  ・・・（１１）
【００３７】
上記した反応により生成したＯＨラジカルは酸化還元電位が２．８５Ｖと非常に強い酸化剤であり、界面活性剤を含む大部分の生物難分解性有機物を分解・無機化することが可能である。オゾンがＯＨ−と反応あるいは、オゾンが電極上で直接電子を受け取っても生成するＯＨラジカルに違いはない。
【００３８】
また、ＯＨラジカル処理槽１０の排水出口１２には、上記した反応によって生成された次亜塩素酸含有液である次亜塩素酸ナトリウムを接触槽９の上流のラインに導入する循環ライン１９が設けられている。即ち、ＯＨラジカル処理槽１０から排出される排水である次亜塩素酸含有液が循環ライン１９を介して接触槽９に戻される。
【００３９】
また、ＯＨラジカル処理槽１０の上部には、ＯＨラジカル生成時に利用された余剰オゾン（廃オゾン）を接触槽９に導入する余剰オゾンライン２０が設けられている。余剰オゾンライン２０は、接触槽９の底部近傍に接続されている。即ち、余剰オゾンは、ＯＨラジカル処理槽１０の上部から余剰オゾンライン２０を介して排出され、接触槽９内の排水に吹き込まれる。
【００４０】
次に、本実施形態の排水処理装置を用いた排水処理システム１のフロー（排水処理方法）を説明する。
図示しない排水排出施設から排出される界面活性剤を含む有機化合物を含有する排水は、生物処理槽２に導入され、有機物及びアンモニア態（アンモニア窒素系）が生物学的に分解される。
次いで、沈殿槽３により排水内のＳＳ成分が固液分離される。
次いで、排水は第一凝集沈殿槽４に導入されて、カルシウム塩などの凝集剤が添加され、界面活性剤の一部が凝集分離される。即ち、ＡＥＳなどの界面活性剤の濃度が低減される。
【００４１】
次いで、排水は混和槽５に送られ、凝集剤（硫酸バンド、高分子ポリマーなど）が添加され、混和させる。凝集した成分は第二凝集沈殿槽６において凝集沈殿処理を行い、第二凝集沈殿槽６において分離できなかった微量な固形成分（ＳＳ成分）を砂ろ過塔７で除去した後、生物難分解性有機物処理部８の接触槽９、及びＯＨラジカル処理槽１０に供給される。
まず、ＯＨラジカル処理槽１０における工程（オゾン／電解工程）から説明すると、排水に含まれる生物難分解性有機物は、ＯＨラジカルによって無機物にまで酸化分解される。また、排水に含まれるＡＥＳなどの界面活性剤もＯＨラジカルによって分解される。
ここで、処理に伴って発生した次亜塩素酸含有液は、循環ライン１９を介して接触槽９に導入される（循環工程）。さらに処理に伴って発生した余剰オゾンは余剰オゾンライン２０を介して接触槽９に吹き込まれる。
【００４２】
接触槽９においては、生物難分解性有機物を含んだ排水に対して次亜塩素酸含有液及びオゾンで分解可能な生物難分解性有機物が分解処理される。次亜塩素酸含有液は、循環ライン１９を介してＯＨラジカル処理槽１０から導入されたものである。オゾンは、余剰オゾンライン２０を介してＯＨラジカル処理槽１０から導入されたものである。
このように、接触槽９にて次亜塩素酸含有液及びオゾンにより分解可能な生物難分解性有機物が処理されることによって、接触槽９の下流側のＯＨラジカル処理槽１０には、次亜塩素酸含有液及びオゾンで分解可能な生物難分解性有機物は導入されることはない。なお、接触槽９内のオゾン量が不足する場合は、オゾン発生装置１６によりオゾン供給管１７を通じて供給することも可能である。
【００４３】
このＯＨラジカル処理工程を経た排水は、活性炭吸着塔２５に送られ、排水中の着色成分が除去される。
一連の処理により排出基準を満たすまでに清浄になった排水は、処理排水として河川などに放流される。
【００４４】
ここで、他の排水処理システムと、本実施形態の排水処理システム１との比較をグラフを用いて行う。
図３は、本実施形態の排水処理システム１を用いてＡＥＳを含む排水を処理したときの経時変化図であり、縦軸は処理前のＡＥＳ濃度Ｃ０と、処理後のＡＥＳ濃度Ｃの相対比Ｃ／Ｃ０、横軸は時間を示している。
【００４５】
図３に示すように、電気分解を単独で行う処理では、ＡＥＳ濃度はほとんど変化しない。即ち、電気分解を単独で行う処理ではＡＥＳはほとんど分解されることはない。また、オゾン酸化分解を単独で行う処理では、ＡＥＳ濃度は処理前と比較して０．８倍程度に減少する。
一方、本実施形態のオゾン／電解処理を行う場合、ＡＥＳ濃度は処理前と比較して０．３倍以下にまで減少する。
以上の結果より、ＡＥＳを含む排水中にＯＨラジカルを発生させることによって、効果的にＡＥＳを分解することがわかった。
【００４６】
また、発明者らは、界面活性剤としても機能するエチレンジアミン四酢酸（ＥＤＴＡ）、パラスチレンスルホン酸ナトリウムラウリル硫酸ナトリウムについては、オゾン酸化分解によって容易に分解されることを確認した。
一方で、上述したように、ＡＥＳについては、オゾン酸化分解によっても一部しか分解されず、ＡＥＳを分解するには、オゾン／電解処理によるＯＨラジカルが必要であった。
【００４７】
上記実施形態によれば、界面活性剤を含む排水中にオゾンを供給しながら排水の電気分解を行いＯＨラジカルを発生させるオゾン／電解工程を行うことによって、排水中に含まれ、オゾン酸化分解処理によっても処理が困難な界面活性剤を分解することができる。
特に、オゾン酸化分解によっても分解が容易ではないＡＥＳを分解することができる。
【００４８】
また、熱分解処理を行うことなく界面活性剤を分解することができるため、低コストにて処理を行うことができる。
また、発泡抑制装置として機能する第一凝集沈殿槽４にて、界面活性剤の一部を分離することによって、オゾン／電解工程におけるオゾン曝気時の発泡抑制が可能となる。
【００４９】
また、ＯＨラジカル処理槽１０よりも上流側である接触槽９にて次亜塩素酸含有液で分解可能な物質が分解処理されるため、ＯＨラジカル処理槽１０において発生させるＯＨラジカルを効率的に利用することが可能となる。
即ち、ＯＨラジカル処理槽１０において、ＯＨラジカルが次亜塩素酸含有液及びオゾンで分解可能な生物難分解性有機物に反応することを抑制されるため、処理液性状を向上させるためにＯＨラジカルを過剰に供給する必要性を低減することができる。過剰なＯＨラジカルが不要となるため、過剰なオゾン曝気風量が不要となり、ランニングコストを低減することができる。
【００５０】
また、オゾン／電解処理工程にて発生する次亜塩素酸ナトリウムを有効活用することができる。
また、ＯＨラジカルを用いて排水処理を行うことによって、電解単独処理、オゾン単独処理では分解困難な生物難分解性有機物を除去することができる。
また、着色成分に無関係に有機物を処理できるので、生物難分解性有機物処理部８の後段で、着色成分の除去等に用いる活性炭吸着塔処理を行うことで、活性炭の交換頻度を抑制でき、充填剤の延命化が可能となる。
また、ＯＨラジカル処理槽から排出される廃オゾンが、接触槽９にて利用されて廃オゾンの排出が低減されるため、廃オゾン処理装置２４の延命化が可能となる。
また、次亜塩素酸含有液及び廃オゾンが接触槽９に導入されて、これらの処理物質が単独で処理に使用されるため、次亜塩素酸含有液と余剰オゾンの処理効率を向上させることができる。
【００５１】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、クレームの範囲によってのみ限定される。
上記実施形態では、循環ライン１９を介してＯＨラジカル処理槽１０の上流に次亜塩素酸含有液を戻す構成としたがこれに限ることはない。例えば、図４に示すように、接触槽９、循環ライン１９、余剰オゾンライン２０を設けることなく、界面活性剤を含む排水を処理する構成としてもよい。
【００５２】
また、上記実施形態の排水処理システム１では、生物難分解性有機物処理部の上流に
発泡抑制処理を行う装置として第一凝集沈殿槽４を配置したが、排水の発泡抑制処理を行うことができればこれに限ることはない。例えば、凝集膜ろ過によって、発泡抑制処理を行う構成としてもよい。
【００５３】
また、上記実施形態の排水処理システム１では、循環ライン１９を接触槽９の上流側に接続する構成としたが、ＯＨラジカル処理槽１０の上流側において、排水に次亜塩素酸含有液を供給できればこれに限ることはない。例えば、循環ライン１９を生物処理槽２の上流側に接続するとともに、接触槽９を廃する構成としてもよい。即ち、接触槽９のような独立した槽を設けることなく、ＯＨラジカル処理槽１０の上流側にて排水に次亜塩素酸含有液を供給できればよい。
また、接触槽９は、ＯＨラジカル処理槽１０の直前ではなく、例えば、生物処理槽２と第一凝集沈殿槽４の間に設けてもよい。
【符号の説明】
【００５４】
１  排水処理システム
２  生物処理槽
３  沈殿槽
４  第一凝集沈殿槽（発泡抑制装置）
５  混和槽
６  第二凝集沈殿槽
７  砂ろ過塔
８  生物難分解性有機物処理部
９  接触槽
１０  ＯＨラジカル処理槽（排水処理槽）
１１  排水入口
１２  排水出口
１３  電極対（電極）
１５  直流安定化電源
１６  オゾン供給装置
１７  オゾン供給管
１９  循環ライン
２０  余剰オゾンライン
２１  塩化物イオン供給装置
２２  塩化物イオンライン
２３  廃オゾンライン
２４  廃オゾン処理装置
２５  活性炭吸着塔
【図１】
2015139753.tif 000003
【図２】
2015139753.tif 000004
【図３】
2015139753.tif 000005
【図４】
2015139753.tif 000006